(57)【要約】【課題】洗浄水の噴射力の反力によってノズルを回転させ、洗浄領域を拡大し得る回転ノズル装置を提供する。【解決手段】ノズル６から噴射する水又は温水の噴射力の反力により回転させる回転ノズル装置１において、通水軸４に回転自在に装着され、通水軸４の通水路１３に連通しロータ５の半径方向に形成されたロータ水路孔１４を有するロータ５と、ロータ５の周側面にロータ水路孔１４に連通するように形成されたノズル６と、ロータ５の外側を囲むように通水軸４に固定された筒状カバー７とを備え、ノズル６から噴出する水又は温水を放出する放出窓２１を筒状カバーの周側面のうち略半周面に亘って形成し、その洗浄領域を拡大する。【選択図】図８
2004148303.tif 000002
【特許請求の範囲】
【請求項１】
ノズルから噴射する水又は温水の噴射力の反力により回転させる回転ノズル装置において、
通水軸に回転自在に装着され、前記通水軸の通水路に連通しロータの半径方向に形成されたロータ水路孔を有するロータと、前記ロータの周側面に前記ロータ水路孔に連通するように形成されたノズルと、前記ロータの外側を囲むように前記通水軸に固定された筒状カバーとを備え、
前記ノズルから噴出する水又は温水を放出する放出窓が、前記筒状カバーの周側面のうち略半周面に亘って形成されたことを特徴とする横型回転ノズル装置。
【請求項２】
前記ロータの回転速度を低速化するための制動手段が前記筒状カバーに内蔵されたことを特徴とする請求項１に記載の横型回転ノズル装置。
【請求項３】
前記制動手段が、前記ロータの外側にそれぞれ基端が枢支され、前記ロータの軸方向に配された複数枚の弾性翼板とから構成され、
前記ロータの回転遠心力で外側に開く弾性翼板と前記筒状カバーの内周面との間の摩擦抵抗によリ、前記ロータの回転速度を低速度化するようにされたことを特徴とする請求項２に記載の横型回転ノズル装置。
【請求項４】
前記筒状カバーの内周面に、前記弾性翼板と接触してロータの回転速度を低速化する複数個の小突起が形成されたことを特徴とする請求項３に記載の横型回転ノズル装置。
【請求項５】
前記ノズルから前記筒状カバー内へ噴出される水又は温水を、加圧して外部へ噴出させる噴出手段を設けたことを特徴とする請求項１〜４のいずれかに記載の横型回転ノズル装置。
【請求項６】
前記噴出手段は、前記ノズルから前記筒状カバー内へ噴出される水又は温水を集水する集水路から構成され、該集水路は、前記ノズルの回転軌跡に沿って前記筒状カバーに設けられ、前記集水路の前記ノズルと対向する側の壁面に、前記ノズルから噴出される水又は温水を集水路内に流入させるための複数の噴入口が形成され、前記集水路の端部の壁面に噴出口が設けられ、前記集水路は、前記噴入口から流入される前記ノズルからの水又は温水の噴射力を利用して、水又は温水を噴出口側へ加圧し、前記噴出口から噴出させることを特徴とする請求項５記載の横型回転ノズル装置。
【請求項７】
前記筒状カバーの周側面に沿って集水受けが設けられ、該集水受けは、その内面に前記ノズルの回転軌跡に沿って溝が形成され、該溝と前記筒状カバーとで囲まれた空間により前記集水路が形成されたことを特徴とする請求項６記載の横型回転ノズル装置。
【請求項８】
前記噴出口からの噴出方向は、前記放出窓を通って前記ノズルから噴出される方向の範囲内に設定されたことを特徴とする請求項６又は７に記載の横型回転ノズル装置。
【請求項９】
前記筒状カバーを移動可能とする転動輪が付設されたことを特徴とする請求項１〜８のいずれかに記載の横型回転ノズル装置。
【請求項１０】
請求項１〜９のいずれかに記載の回転ノズル装置を備えたことを特徴とする洗浄機。
【発明の詳細な説明】
【技術分野】
【０００１】
本発明は、ノズルからの水又は温水の噴射力の反力によリノズルを回転させ、自動車、調理鍋および食器等の洗浄機に、あるいはその他の洗浄機に用いられる回転ノズル装置に関するものである。
【背景技術】
【０００２】
従来、この種の洗浄機に用いられる洗浄ノズルは、高圧洗浄するために水、又は温水を噴射するノズルの噴射角度を広げ幅広くして洗浄することによって、手早く洗浄できることを目的としたものが現在多く使用されている典型的なスプレーノズルであるが、近年、このスプレーノズルを偏心取付してジェット噴流を起し、その噴射力の反動によリノズルを取付けた回転体と一体にノズルを回転させ、ノズル噴射水を回転しながら洗浄するものが数種開発されてきている。このような回転ノズルとして、例えば、特許文献１、特許文献２、および特許文献３が挙げられる。
【０００３】
【特許文献１】特公平５-５５４５号公報参照
【特許文献２】特開昭６３−２００５５号公報参照
【特許文献３】特開昭６３−１８５４６８号公報参照
【発明の開示】
【発明が解決しようとする課題】
【０００４】
ところで、特許文献１、２、３に例示されるものは、いずれもノズルがロータの軸方向端面側に偏心配置されており、水又は温水などの洗浄水の噴出方向はノズルの傾斜偏向に依存し、また、ノズルからの洗浄水噴出範囲は限定されているため、洗浄面を広範囲に設定することは困難であった。例えば、洗浄範囲をロータの軸方向を中心として１８０度程度の洗浄範囲を確保するため、ノズルの傾斜角度を変更設定した場合、洗浄水の噴出範囲が限られるため、設定範囲の境界部（０度あるいは１８０度）付近に洗浄水は行き渡るが、逆に、ロータの軸中心（９０度）付近には洗浄水を噴出することができないといった難点があった。
【０００５】
つまり、特許文献１〜３に示される従来の縦型回転ノズルを備えた洗浄機では、洗浄可能領域を広範囲に設定することには限界があり、さらなる広範囲の洗浄可能領域を確保できる回転ノズル装置の出現が望まれていた。
【０００６】
本発明は、上記課題を解決するためになされたもので、温水等の洗浄水の噴射力の反力によってノズルを回転させ、洗浄領域を拡大し得る回転ノズル装置の提供を目的とするものである。
【課題を解決するための手段】
【０００７】
上記目的を達成するため、本発明においては、ノズルをロータの軸方向端面に配置するのではなく、ノズルをロータの周側面に形成し、かつロータの周囲を覆う筒状カバーにノズルの回転軌跡に対向して洗浄水の放出窓を設け、横型のジェット噴流を噴出可能としたものである。しかも、放出窓を筒状カバーの略半周分を開口させることにより、洗浄領域を拡大するようにしたものである。
【０００８】
すなわち、本発明は、ノズルから噴射する水又は温水の噴射力の反力により回転させる回転ノズル装置において、通水軸に回転自在に装着され、前記通水軸の通水路に連通しロータの半径方向に形成されたロータ水路孔を有するロータと、前記ロータの周側面に前記ロータ水路孔に連通するように形成されたノズルと、前記ロータの外側を囲むように前記通水軸に固定された筒状カバーとを備え、前記ノズルから噴出する水又は温水を放出する放出窓が、前記筒状カバーの周側面のうち略半周面に亘って形成されたことを特徴とする横型回転ノズル装置である。
【０００９】
上記構成においては、通水軸の一端の筒状カバーに接続する配管またはホースから通水軸の通水路からロータ水路孔を経てノズルに高圧洗浄水を通水させると、偏心したロータ水路孔から噴出した高圧噴射水がジェット噴流となり、その噴射力の反動力でロータが通水軸中心に回転される。ジェット噴流は、筒状カバーの放出窓から外部に放出されるが、放出窓が筒状カバーの略半周分開口されているので、ジェット噴流は、ロータの回転に伴ってロータの周側面にあるノズルから放出窓の全域に亘って噴出されることになる。また、筒状カバーの放出窓を除く領域、すなわち筒状カバー内に噴出されたジェット噴流は、筒状カバーの内周面に沿って放出窓の端部から外部に放出されることになる。
【００１０】
従って、ノズルから直接放出窓に噴出される高圧の洗浄水と、ノズルから一旦筒状カバーの内周面に噴出された後、放出窓の端部から放出される高圧の洗浄水とにより、被洗浄物に対する衝撃洗浄力が強められ、かつ広範囲な洗浄領域を確保することができる。
【００１１】
上記回転ノズル装置においては、ロータの回転速度を低速化するための制動手段を前記筒状カバーに内蔵した構成が好適である。この制動手段としては、前記ロータの外側にそれぞれ基端が枢支され、前記ロータの軸方向に配された複数枚の弾性翼板とから構成され、前記ロータの回転遠心力で外側に開く弾性翼板と前記筒状カバーの内周面との間の摩擦抵抗によリ、前記ロータの回転速度を低速度化するようにされたものを採用することができる。
【００１２】
このような制動手段を採用した場合、ロータの回転力が増すと弾性翼板の遊端側が回転の遠心力によって外側に拡開され、その弾性翼板１０の曲り、伸び及び弾力性によって筒状カバーの内周面となじみがよくなり、接触面が増えるので、弾性翼板が筒状カバーの内周面を押し擦るように回転滑走することになる。そのため、その時に起こる摩擦抵抗により早く回転しようとする力を落とすブレーキの役割を果たす。
【００１３】
従って、ノズルの回転速度の高速化並びに洗浄水が高圧になればなるほどブレーキ効果が大きくなるので、遠心力により外側に拡開される翼板の枚数と比例しながら、程よい回転速度が得られ低速に制動するため、洗浄水の被洗浄物に対する大きい噴射衝撃を維持でき、その結果、洗浄効果を高めることができる。
【００１４】
さらに、制動手段として、筒状カバーの内周面に、前記弾性翼板と接触してロータの回転速度を低速化する複数個の小突起を形成すれば、弾性翼板と小突起とが間欠的に接触し、さらなる低速化も実現することができ、ほどよい噴射状態が得られる。
【００１５】
また、上記回転ノズル装置において、補助洗浄の手段として、前記ノズルから前記筒状カバー内へ噴出される水又は温水を、加圧して外部へ噴出させる噴出手段を設けることができる。上述のように、噴出手段を設けないでも、筒状カバー内に噴出されたジェット噴流は、筒状カバーの内周面に沿って放出窓の端部から外部に放出させることができるが、噴出手段を設ければ、水又は温水を加圧して回転ノズル装置の外部にさらに勢いよく噴出させることができる。したがって、その噴出手段により噴出される噴流を補助洗浄の手段とすることができ、より一層洗浄能力を高めることができる。また、筒状カバー内に噴出される水又は温水を再利用することができるので、水又は温水を節約することができる。
【００１６】
噴出手段としては、筒状カバー内の水又は温水を外部へ加圧して噴出できるものであれば特に限定されるものではなく、ポンプ等の他の動力手段を設けるようにしてもよいが、以下の構成が好適である。
【００１７】
前記噴出手段は、前記ノズルから前記筒状カバー内へ噴出される水又は温水を集水する集水路から構成され、該集水路は、前記ノズルの回転軌跡に沿って前記筒状カバーに設けられ、前記集水路の前記ノズルと対向する側の壁面に、前記ノズルから噴出される水又は温水を集水路内に流入させるための複数の噴入口が形成され、前記集水路の端部の壁面に噴出口が設けられたものである。前記集水路は、前記噴入口から流入される前記ノズルからの水又は温水の噴射力を利用して、水又は温水を噴出口側へ加圧し、前記噴出口から噴出させることができる。
【００１８】
すなわち、ノズルの回転軌跡に沿って水又は温水を集水する集水路を設けたので、ノズルから筒状カバー内へ噴出される水又は温水の通り道が形成される。この水又は温水の通り道となる集水路内に、ノズルの水又は温水がジェット噴流となって直接噴入口から噴入されるので、その噴射力により水又は温水が集水路の噴出口側へ加圧され、噴出口から勢いをもって噴出させることができる。この構成によると、ノズルからの噴射力を利用して、集水路内へ流入する水又は温水を加圧、噴出させているので、他の動力手段を新たに設ける必要がなくなり、好適である。
【００１９】
なお、水又は温水の加圧力を高めるために、集水路は、噴入口及び噴出口以外は密閉されたものであるのが好ましく、また、噴出口付近の壁面には噴入口を設けない構成とするのが好ましい。さらに集水路内の加圧力を高めるために、集水路の幅及び噴出口の口径は、なるべく小さくしたほうがよい。なお、噴出口の口径は、被洗浄物を洗浄可能な水流を放出可能な大きさを備える必要がある。また、噴出口は、集水路の一端側の壁面にのみ設けてもよいが、両端側の壁面に設けたほうが、噴出範囲及び噴出量が増え、洗浄能力が高まるので好ましい。また、集水路とノズル先端との距離は、なるべく近いほうが、ジェット噴流の噴射力が大きくなるので好ましい。
【００２０】
また、集水路は筒状カバーの内外のどちらに設けてもよいが、筒状カバー外に設けたほうが、集水路がノズルに接触しにくく、また、筒状カバー内の水又は温水が集水路内に流れ込みやすいので好ましい。すなわち、前記筒状カバーの周側面に沿って集水受けが設けられ、該集水受けは、その内面に前記ノズルの回転軌跡に沿って溝が形成され、該溝と前記筒状カバーとで囲まれた空間により前記集水路が形成される。
【００２１】
なお、集水路を筒状カバー内に設ける場合は、筒状カバーの内周面に上記集水受けを設ければよい。この集水受けの溝と筒状カバーの内周面とで囲まれた空間により、集水路が形成され、集水受けの両端開口が噴出口とされる。この噴出口を筒状カバーの放出窓から露見させるようにすれば、噴出口から噴出される水又は温水を、放出窓をとおして外部に放出させることができる。なお、この際、集水路の壁面がノズルに接触するのを防ぐため、筒状カバーの半径を大きくするのが好ましい。ノズルから直接放出されるジェット噴流と、集水路を通って噴出口から放出される水流とにより、被洗浄物を洗浄することができる。
【００２２】
また、噴出口から水又は温水を噴出する方向は特に限定されるものではないが、ノズルから放出窓を通って直接噴出される方向の範囲内に設定すれば、噴出口からの噴射とノズルからの直接の噴射との相乗効果により、より洗浄力を高めることができる。
【００２３】
また、筒状カバーを移動可能とする転動輪を付設することもできる。この構成によれば、回転ノズル装置を固定式にする態様のみならず、移動式にした態様としても使用でき、例えば、自動車の下回りなど、固定式態様では洗浄し難い部分でも簡単に洗浄することができる。
【発明の効果】
【００２４】
以上の説明から明らかな通り、本発明によると、ノズルをロータの周側面に形成し、かつロータの周囲を覆う筒状カバーに洗浄水の放出窓を設けているので、横型のジェット噴流を噴射することが可能となり、また、放出窓は筒状カバーの略半周分を開口させているので、洗浄領域を大幅に拡大でき、かつその洗浄範囲で均等に噴射洗浄することができる。
【発明を実施するための最良の形態】
【００２５】
以下、本発明の実施形態である回転ノズル装置を搭載した洗浄機を図面に基づいて説明する。図１は本発明の一実施形態を示す転動輪付き回転ノズル装置の概略斜視図、図２はその正面図、図３は回転ノズル装置の分解斜視図、図４は回転ノズル装置を備えた移動式洗浄機の概略図である。図５は図１の回転ノズル装置の平面図、図６は図５のＡ−Ａ断面図、図７は同じくＢ−Ｂ断面図、図８（ａ）〜（ｆ）は回転ノズルの動作と洗浄水の噴出状態示す図である。
【００２６】
図４に示すように、本実施形態の回転ノズル装置１は、洗浄機Ａの水源Ｗに高圧ポンプＰおよび洗浄ガンＧを介して接続されるものである。この回転ノズル装置１は、図１〜図３に示すように、洗浄ガンＧの配管Ａ１（又はホース）に接続されるニップル２と、ニップル２の螺合連結部３に接続される通水軸４と、この通水軸４に回転自在に装着されたロータ５と、ロータ５の周側面に取り付けられたノズル６と、ロータ５の外側を囲むように通水軸４に固定された筒状カバー７と、ロータ５の回転速度を低速化するための制動手段８と、筒状カバー７を移動可能とする転動輪９とを備えている。
【００２７】
ニップル２は、図６に示すように、筒状に形成され、ホース等を接続する後端側の接続部２ａと、通水軸４を内嵌螺合する前端側の螺合連結部３とを備え、中央穴が通水路となっている。
【００２８】
通水軸４は、図６に示すように、ニップル２に内嵌螺合する後端側の螺合連結部１１と、ロータ５を回転自在に軸支する軸部１２とから構成されている。螺合連結部１１は、その外周面に螺子が刻設され、ニップル２の螺合連結部３に内嵌螺合されている。また、螺合連結部１１から軸部１２の中間付近まで軸方向に通水軸孔１３が形成され、この通水軸孔１３が通水路を構成している。通水軸孔１３の先端から軸部半径方向に複数の孔１３ａが形成され、後述するロータ５のロータ水路孔１４と連通するようになっている。なお、図６においては、通水路部分を理解しやすいようにハッチングで示した。
【００２９】
ロータ５は、図６に示すように、円筒状に形成された金属製のものであって、中央に通水軸４を通す軸穴５ａが形成され、通水軸４に回転自在に装着されている。ロータ５の軸穴５ａは、その軸方向中間付近で通水軸４よりも大径に形成されて通水軸４の複数の孔１３ａから噴出した洗浄水を受ける大径口部１４ａを構成している。この大径口部１４ａの外周部からロータ５の周側面にロータ水路孔１４が貫通形成され、その先端に洗浄水を噴出するノズル６が取り付けられ、このわずかに偏心したロータ水路孔１４を通ってノズル６から噴射する洗浄水の噴射力の反力によりロータ５が回転するようになっている。
【００３０】
筒状カバー７は、前端が開放し、後端が閉塞した円筒状のものであって、金属、セラミックあるいは硬質合成樹脂で形成されている。筒状カバー７の後端閉塞面には通水軸４の螺合連結部１１を貫通する貫通孔１６が形成され、この貫通孔１６に通水軸４の螺合連結部１１を通し、その外フランジ１８とニップル２の前端螺合連結部３とで後端閉塞面を挟み込むことにより、筒状カバー７が通水軸４に固定されるようになっている。
【００３１】
筒状カバー７の周側面には、ノズル６の回転軌跡に対向してノズル６から噴出する洗浄水を放出する放出窓２１が略半周面に亘って形成され、ノズル６から噴出した洗浄水を広範囲（略１８０度）に放出できるようになっている。なお、放出窓２１の開口範囲は、要求する洗浄領域に合わせて適宜設定すればよく、１８０度以上の洗浄領域の確保も可能である。
【００３２】
制動手段８は、ロータ５の外側にそれぞれ基端が枢支され、ロータ５の軸方向に配された複数枚の弾性翼板２２とから構成される。弾性翼板２２は、ゴム又はこれと同効のプラスチックからなる短冊状のものであって、弾性翼板２２の各基端部はロータ５の軸方向前端に固定されるブレーキリング２３の周囲に等間隔に突起した止金２４に枢着され、ロータ６の回転の遠心力によって外側に拡開するように設けられる。そして、ロータの回転遠心力で外側に開く弾性翼板２２と筒状カバー７の内周面との間の摩擦抵抗によリ、ロータ５の回転速度を低速度化するようにされている。なお、図３において、符号２５はブレーキリング２３をロータ５の軸端に固定する押えキャップである。
【００３３】
また、筒状カバー７の後端閉塞面側の内周面には、弾性翼板２２と接触してロータ７の回転速度を低速化する複数個の小突起２６が等間隔に形成されている。
【００３４】
転動輪９は、正面視コ字形のブラケット２８の両側面に固定された車軸２９に回転自在に軸支される。また、ブラケット２８は、筒状カバー７の周側面にボルト等により固定される。また、ブラケット２８には、筒状カバー７の前端開口を覆う前端カバー３１が溶接固定されている。
【００３５】
上記構成において、洗浄ガンＧを操作して水源Ｗからの通水路を開放すると、水源からの洗浄水は、通水軸４の通水路１３からロータ水路孔１４を経てノズル６から噴出する。この際、ロータ５の偏心したロータ水路孔１４から噴出した高圧噴射水がジェット噴流となり、その噴射力の反動力でロータ５が通水軸４回りに高速回転する。
【００３６】
図８（ａ）〜（ｆ）に示すように、ジェット噴流は、筒状カバー７の放出窓２１から外部に放出されるが、放出窓２１が筒状カバー７の略半周分開口されているので、ロータ５の回転に伴ってロータ５の周側面にあるノズル６から放出窓２１の全域に亘って噴出されることになる。さらに、筒状カバー７の放出窓２１を除く領域に噴出されたジェット噴流（図中の薄墨部分）は、筒状カバー７の内周面に沿って放出窓２１の端部から外部に放出されることになる（図８において、符号Ｓ１で示す）。
【００３７】
従って、ノズル６から直接放出窓２１に噴出される高圧の洗浄水Ｓと、ノズル６から一旦筒状カバー７の内周面に噴出された後、放出窓２１の端部から放出される高圧の洗浄水Ｓ１とにより、被洗浄物に対する衝撃洗浄力が強められ、かつ広範囲な洗浄領域を確保することができる。しかも、放出窓２１の大きさに拘わらず、いずれの領域でも均等な洗浄水の噴出が得られる。
【００３８】
図９は本発明の変形例を示す回転ノズル装置の概略斜視図、図１０は図９の中央縦断面図、図１１は図９の回転ノズル装置を備えた洗浄機の概略図、図１２は図９の回転ノズル装置１を備えた別の洗浄機の概略図である。
【００３９】
この変形例の回転ノズル装置１は、図１〜図８に示す回転ノズル装置のうち転動輪９のない装置で、これに伴い、ブラケット２８も除かれている。その他の構成は、図１〜図８に示すものと同様である。この回転ノズル装置１は、図１１に示すように、洗浄機の側面や路面に設置し、自動車Ｍの下回りやボディを洗浄したり、図１２に示すように、洗浄機の上下及び側面に設置して、コンテナＣを三方向から洗浄する際に適用することができる。
【００４０】
この場合も筒状カバー７の周側面の放出窓２１から広範囲にジェット噴流を噴出することができ、しかも単純かつコンパクトな構造であるため、設置が簡単かつ場所も少なくて済む利点がある。
【００４１】
また、図１３は第２の変形例を示す回転ノズル装置の斜視図、図１４は図１３の回転ノズル装置の正面図、図１５は図１３の回転ノズル装置の分解斜視図、図１６（ａ）は集水受けの斜視図、（ｂ）は集水受けの正面図、（ｃ）は集水受けの平面図、（ｄ）は集水受けの側面図、図１７は回転ノズルの動作と洗浄水の噴出状態を示す図である。
【００４２】
この第２の変形例の回転ノズル装置１は、上記実施形態の回転ノズル装置１に、ノズル６から筒状カバー７内へ噴出される水又は温水を加圧して外部へ噴出させる噴出手段３２を設けたものである。その他の構成は、図１〜図８に示すものと同様である。なお、図９〜図１２のように転動輪９を設けない形態としてもよい。
【００４３】
噴出手段３２は、筒状カバー７の周側面に沿って設けられた集水受け３３と、ノズル６から筒状カバー７内へ噴出される水又は温水を集水する集水路３３ａとから構成される。
【００４４】
集水受け３３は、筒状カバー７の放出窓２１が形成されていない部分全域である略半周に亘って設けられており、ねじ穴３３ｂによりねじ止めで固定される。また、その内面には、断面Ｕ字状の溝が、ノズルの回転軌跡に沿って、集水受け３３の一端から他端にかけて形成される。この溝と筒状カバーとで囲まれた空間により集水路３３ａが形成される。溝幅は、ノズル６のジェット噴流の流束幅よりもやや大きめとされる。
【００４５】
集水路３３ａのノズル６と対向する側の壁面（筒状カバー７の壁面）には、ノズル６の回転軌跡に沿って複数の噴入口３４が形成される。この噴入口３４により、筒状カバー７内と集水路３３ａとが連通するので、ノズル６から噴出される水又は温水を集水路３３ａ内に流入させることができる。噴入口３４の直径は、ノズル６からのジェット噴流の流束とほぼ同程度か、それよりもやや大きめとされる。また、複数の噴入口３４を設ける間隔は、ノズル６からのジェット噴流が一の噴入口３４から流入した際に、他の噴入口３４から筒状カバー７内側へ大量に飛び出さない程度の間隔に設けるのが好ましい。
【００４６】
集水受け３３の両端は開口されており、集水路３３ａ内に流入したノズル６からの水又は温水を噴出させるための集水路３３ａの噴出口３５とされる。上述したように、集水路３３ａは、筒状カバー７の略半周に亘って形成されているので、噴出口３５からの噴出方向が、放出窓２１を通ってノズル６から直接に噴出される方向の範囲内に設定される。したがって、相乗効果により洗浄力を向上させることができる。
【００４７】
上記構成において、水源からの通水路を開放すると、ロータ５の回転に伴って、ロータ５の周側面にあるノズル６から放出窓２１の全域に亘って、ジェット噴流が噴出される。また、筒状カバー７内に向かって噴出されるジェット噴流（図１７の図中の薄墨部分）は、集水路３３ａの各噴入口３４から集水路３３ａ内に流入する。集水路３３ａ内に流入したジェット噴流は、集水受け３３の壁面及び筒状カバー７の壁面により規制されて集水路３３ａ外へこぼれ出しにくいので、その噴射力により噴出口３５側へ加圧され、勢いをもって噴出口３５から外部へ噴出される。（図１７において、符号Ｓ２で示す）。また、図１７（ａ）及び（ｂ）に示されるように、集水路３３ａの両端の噴出口３５から交互に噴出されることになる。このように、放出窓２１を通ってノズル６から直接噴出される高圧の洗浄水Ｓと、集水路３３ａの噴出口３５から噴出される高圧の洗浄水Ｓ２とにより、被洗浄物に対する衝撃洗浄力が強めることができる。
【図面の簡単な説明】
【００４８】
【図１】本発明の一実施形態を示す転動輪付き回転ノズル装置の概略斜視図
【図２】図１の正面図
【図３】図１の回転ノズル装置の分解斜視図
【図４】図１の回転ノズル装置を備えた移動式洗浄機の概略図
【図５】図１の回転ノズル装置の平面図
【図６】図５のＡ−Ａ断面図
【図７】図５のＢ−Ｂ断面図
【図８】（ａ）〜（ｆ）は回転ノズルの動作と洗浄水の噴出状態を示す図
【図９】本発明の変形例を示す回転ノズル装置の概略斜視図
【図１０】図９の中央縦断面図
【図１１】図９の回転ノズル装置を備えた洗浄機の概略図
【図１２】図９の回転ノズル装置を備えた別の洗浄機の概略図
【図１３】第２の変形例を示す回転ノズル装置の斜視図
【図１４】図１３の回転ノズル装置の正面図
【図１５】図１３の回転のズル装置の分解斜視図
【図１６】（ａ）は集水受けの斜視図、（ｂ）は集水受けの正面図、（ｃ）は集水受けの平面図、（ｄ）は集水受けの側面図
【図１７】（ａ）〜（ｂ）は第２の変形例における回転ノズルの動作と洗浄水の噴出状態を示す図
【符号の説明】
【００４９】
Ｗ    水源
Ｐ    高圧ポンプ
Ｇ    洗浄ガン
１    回転ノズル装置
２    ニップル
３    螺合連結部
４    通水軸
５    ロータ
６    ノズル
７    筒状カバー
８    制動手段
９    転動輪
１３    通水軸孔
１４    ロータ水路孔
２２    弾性翼板
２３    ブレーキリング
２４    止金
２６    小突起
３２    噴出手段
３３    集水受け
３３ａ  集水路
３４    噴入口
３５    噴出口
【図１】
2004148303.tif 000003
【図２】
2004148303.tif 000004
【図３】
2004148303.tif 000005
【図４】
2004148303.tif 000006
【図５】
2004148303.tif 000007
【図６】
2004148303.tif 000008
【図７】
2004148303.tif 000009
【図８】
2004148303.tif 000010
【図９】
2004148303.tif 000011
【図１０】
2004148303.tif 000012
【図１１】
2004148303.tif 000013
【図１２】
2004148303.tif 000014
【図１３】
2004148303.tif 000015
【図１４】
2004148303.tif 000016
【図１５】
2004148303.tif 000017
【図１６】
2004148303.tif 000018
【図１７】
2004148303.tif 000019